(57)【特許請求の範囲】
【請求項１】
ユニット服用量容器装置において：
複数のユニット服用量ホルダーを有するトレイ（１２）と；
前記トレイ（１２）を保持するための両側部及び閉塞端部（９２）を備えた上部（１８）及び基部（１６）コンポーネントを有する容器（１０）と；
前記閉塞端部（９２）の反対側に位置する開口端部（４０）であって、これを通した前記トレイ（１２）のスライドを許容する開口端部（４０）と；
前記トレイ（１２）を閉じ込める前記上部（１８）及び基部（１６）コンポーネントを保持するために該コンポーネントに設けられた接続部と；
前記両コンポーネントのうちの１つに設けられた内側へ延びる突起（５４）と；
前記トレイ（１２）に設けられ、前記突起（５４）に係合するとともに前記容器（１０）に関する前記トレイ（１２）の過度の移動を防止するための閉端部を備えた開口部（３４）と；
前記トレイ（１２）及び前記容器（１０）の相対的なスライドを防止するために、前記トレイ（１２）と前記容器（１０）とに設けられた協働移動止め（３６、５６）と；
前記容器（１０）に接続され、前記容器（１０）の前記開口端部（４０）を通した前記トレイ（１２）の相対的なスライドを許容するとともに前記ユニット服用量ホルダーへのアクセスを許容するために前記協働移動止め（３６、５６）を係合状態から偏らせるための偏らせ部材（２０）と；
複数のユニット服用量ホルダーを有する前記トレイ（１２）の段階的な引き出しを許容する手段と；
を備えていることを特徴とする装置。
【請求項２】
請求項１に記載の装置において、
前記偏らせ部材（２０）は、前記トレイ（１２）を撓ませて前記協働移動止め（３６、５６）を解放するために、前記両コンポーネントのうちの１つに一体的に形成されてヒンジ結合され、かつ前記容器（１０）の内側へ移動可能とされたレバー（２２）を備えていることを特徴とする装置。
【請求項３】
請求項２に記載の装置において、
前記レバー（２２）は、前記両コンポーネントの１つにヒンジ結合されたヒンジ端部を有し、かつ前記トレイ（１２）を撓ませるために前記容器（１０）内へ自由に移動可能とされた自由端部を有していることを特徴とする装置。
【請求項４】
請求項３に記載の装置において、
前記自由端部は、前記トレイ（１２）に接触してこれを撓ませるための内側への延長部を有していることを特徴とする装置。
【請求項５】
請求項３または４に記載の装置において、
前記レバー（２２）の前記自由端部が相対的に広く、前記ヒンジ端部が相対的に狭く、
前記協働移動止め（３６、５６）は、前記レバー（２２）の広い自由端部に近接し、離間した複数組の協働移動止め（３６、５６）を備え、
前記レバー（２２）の前記自由端部は、前記容器（１０）の前記開口端部を通した前記トレイ（１２）の相対的なスライドを許容するために１組の全ての移動止め（３６）を係合状態から偏らせることを特徴とする装置。
【請求項６】
請求項１〜５のいずれかに記載の装置において、
前記協働移動止め（３６、５６）は、トレイに取り付けられた移動止め（３６）と容器に取り付けられた移動止め（５６）とをさらに備え、
前記容器取り付け移動止め（５６）は、前記開口端部（４０、４６）に対向する傾斜した斜面（７８）を有していて、前記トレイ取り付け移動止め（３６）を前記容器取り付け移動止め（５６）から遠ざけるように偏らせ、前記容器（１０）の前記閉塞端部の方へ向かう内向きの前記トレイ（１２）のスライドに応じて前記移動止め（５６）をはずすことを特徴とする装置。
【請求項７】
請求項１〜６のいずれかに記載の装置において、
前記トレイ（１２）は、前記容器（１０）からの前記トレイ（１２）の取り外しを防止するために、前記容器（１０）の前記閉塞端部に近接し、外側へ延びるストッパを有していることを特徴とする装置。
【請求項８】
請求項１〜７のいずれかに記載の装置において、
前記上部（１８）及び基部（１６）コンポーネントは、該両コンポーネントを互いに結合するために、内側で対向する連結ピン（５１）及びレシーバーを有していることを特徴とする装置。
【請求項９】
請求項１〜８のいずれかに記載の装置において、
前記容器（１０）の側部及び閉塞端部における前記コンポーネントの縁部は、該コンポーネントの縁部を互いに音波で溶接するためにエネルギーディレクター（６０）を有していることを特徴とする装置。
【請求項１０】
請求項１〜９のいずれかに記載の装置において、
前記協働移動止め（３６、５６）は、トレイ取り付け移動止め（３６）と、前記レバー（２２）の前記自由端部に近接して前記両コンポーネントのうちの１つから内側へ延び、前記トレイ取り付け移動止め（３６）に係合する容器取り付け移動止め（５６）と、を備えていることを特徴とする装置。
【請求項１１】
請求項１〜１０のいずれかに記載の装置において、
前記協働移動止め（３６、５６）は、トレイ取り付け移動止め（３６）と、前記両コンポーネントのうちの１つから内側へ延び、前記トレイ取り付け移動止め（３６）に係合する容器取り付け移動止め（５６）と、を備えていることを特徴とする装置。
【請求項１２】
請求項１〜１１のいずれかに記載の装置において、
前記協働移動止め（３６、５６）は、前記トレイ（１２）の穴と、該トレイ（１２）の穴に係合するための、前記容器（１０）における内側へ延びる移動止め（５６）と、を備えていることを特徴とする装置。
【請求項１３】
請求項１〜１２のいずれかに記載の装置において、
前記協働移動止め（３６、５６）は、前記トレイ（１２）の一連の穴（３６）と、該トレイ（１２）の一連の穴（３６）に選択的に係合するための、前記容器（１０）の内側へ延びる移動止め（５６）と、を備えていることを特徴とする装置。
【請求項１４】
請求項１〜１３のいずれかに記載の装置において、
前記偏らせ部材（２０）に対向して位置して前記容器（１０）の内側へ延び、前記協働移動止め（３６、５６）を係合状態にするためのスプリングをさらに備えていることを特徴とする装置。
【請求項１５】
請求項１〜１４のいずれかに記載の装置において、
前記コンポーネントの内側に位置するリブ（６４）であって、前記トレイ（１２）を該リブ（６４）上でスライドさせるためのリブ（６４）と、
前記偏らせ部材（２０）に対向して位置する前記リブ（６４）の分断部と、
前記リブ（６４）の前記分断部において内側へ延びるスプリング（４８）であって、前記協働移動止め（３６、５６）を係合状態にするとともに前記偏らせ部材（２０）を該スプリング（４８）の力に抗して内側へ押すのに応じて前記協働移動止め（３６、５６）の分離を許容するスプリング（４８）と、
前記トレイ（１２）が前記容器（１０）に完全に挿入されたときに、前記開口端部（４０）を閉塞するために前記容器（１０）の前記開口端部（４０）に近接して位置する、前記トレイ（１２）の一方の端部の膨張部と、
を備えていることを特徴とする装置。
【請求項１６】
ユニット服用量トレイを保持してアクセスするための方法において：
トレイ（１２）のホルダーに複数回分の服用量を配置して、該ホルダーを閉塞するステップと；
容器（１０）の基部（１６）コンポーネント上に前記トレイ（１２）を配置するステップと；
前記トレイ（１２）及び前記基部（１６）コンポーネント上に上部（１８）コンポーネントを配置して、該上部コンポーネント（１８）を前記基部（１６）コンポーネントで閉塞するステップと；
前記両コンポーネントにおける両側壁部（５２）及び端壁部（６４）を閉塞するとともに開口端部（４０）を残すステップと；
前記容器（１０）の突起（５４）と前記トレイ（１２）の細長開口部の閉塞端部とによって前記トレイ（１２）の移動を制限するステップと；
前記トレイ（１２）及び前記容器に設けられた協働移動止め（３６、５６）を係合させて、該協働移動止め（３６、５６）を係合させている間において前記トレイ（１２）を前記容器（１０）内に保持するステップと；
前記協働移動止め（３６、５６）を偏らせて外し、前記ホルダーへのアクセスを許容するために前記容器（１０）の前記開口端部（４０）を通した前記トレイ（１２）の移動を許容するステップと；
を備えていることを特徴とする方法。
【請求項１７】
請求項１６に記載の方法において、
前記偏らせるステップは、一方のコンポーネントの一部分を前記容器（１０）に関して移動させるステップをさらに備えていることを特徴とする方法。
【請求項１８】
請求項１６または１７に記載の方法において、
前記偏らせるステップは、前記コンポーネントと一体的に形成されたレバー（２２）の自由端部を該レバー（２２）のヒンジ端部まわりに移動させるステップを備えていることを特徴とする方法。
【請求項１９】
請求項１６〜１８のいずれかに記載の方法において、
前記協働移動止め（３６、５６）を外すステップは、前記容器（１０）に関して前記トレイ（１２）の一部分を移動させるステップを備えていることを特徴とする方法。
【請求項２０】
請求項１６〜１８のいずれかに記載の方法において、
前記協働移動止め（３６、５６）を外すステップは、前記トレイ（１２）の穴（３６）を前記両コンポーネントのうちの一方から内側へ延びる固定移動止め（５６）から遠ざけるように移動させるステップを備えていることを特徴とする方法。
【請求項２１】
請求項２０に記載の方法において、
前記トレイ（１２）をスプリングの力によって前記固定移動止め（５６）の方へ押しやるステップをさらに備えていることを特徴とする方法。
【請求項２２】
請求項２０または２１に記載の方法において、
前記トレイ（１２）が前記容器（１０）に完全に挿入されたときに、前記トレイ（１２）の一方の端部から外側へ延びる棚状突出部によって前記容器（１０）の前記開口端部（４０）を閉塞するステップをさらに備えていることを特徴とする方法。
【請求項２３】
請求項１６〜２２のいずれかに記載の方法において、
前記コンポーネントから内側へ延びるリブ上で前記トレイをスライドさせるステップと、
一方のコンポーネントの前記リブにギャップを設けるステップと、
前記ギャップにスプリングを設けるステップであって、前記トレイの一部分をスプリングの圧力に抗して前記ギャップへ押すことによって前記協働移動止めを外すようにするためのステップと、
を備えていることを特徴とする方法。
【発明の詳細な説明】
【技術分野】
【０００１】
本発明は、ロックスリーブを有するユニット服用量カセット容器に関するものである。
【背景技術】
【０００２】
容器を開けるために複数の動作が必要となるロック容器、特に子供には操作できないロック容器は、多くの用途を有している。ロック容器の１つの用途は、医薬品容器である。医薬品ボトルのロックキャップは、よく知られている。一般に、該キャップは、容器からキャップを取り外してその中の医薬品へアクセスするためにキャップを回転させている間に、キャップの位置合わせ及びチッピング、あるいは軸線方向への圧力、あるいは半径方向内側へのしぼりを必要としている。
【０００３】
多くの医薬品は平坦なボックスでパッケージングされており、子供には操作できないロックを確保することが困難である。多くの医薬品は、ブリスターパックで販売されており、該ブリスターパックは、紙層あるいは箔によって密封されたプラスチックシートに形成された複数のバブルを有し、該紙層あるいは箔は、１つのバブルから１回分の服用量を解放（リリース）するために順番に穴をあけられる。厚紙スリーブが開けられると、パッケージの全ての内容物が露出し、全回数分の服用量が密封シートに穴をあけることによって直ちに使用可能となる。
【発明の開示】
【発明が解決しようとする課題】
【０００４】
開けるために複数の調整された動作を要求するロックを有した平坦なボックスの必要性が存在している。１回につき限られた回数分の服用量を提示するパッケージの必要性が存在している。安価なロックボックスの必要性が存在している。
【課題を解決するための手段】
【０００５】
この新しい発明は、１つの服用量パッケージングにおける必要性を満たしている。
【０００６】
本発明は、ユニット服用量容器装置において：複数のユニット服用量ホルダーを有するトレイと；前記トレイを保持するための両側部及び閉塞端部を備えた上部及び基部コンポーネントを有する容器と；前記閉塞端部の反対側に位置する開口端部であって、これを通した前記トレイのスライドを許容する開口端部と；前記トレイを閉じ込める前記上部及び基部コンポーネントを保持するために該コンポーネントに設けられた接続部と；前記コンポーネントのうちの１つに設けられた内側へ延びる突起と；前記トレイに設けられ、前記突起に係合するとともに前記容器に関する前記トレイの過度の移動を防止するための閉端部を備えた開口部と；前記トレイ及び前記容器の相対的なスライドを防止するために、前記トレイと前記容器とに設けられた協働移動止めと；前記容器に接続され、前記容器の前記開口端部を通した前記トレイの相対的なスライドを許容するとともに前記ユニット服用量ホルダーへのアクセスを許容するために前記協働移動止めを係合状態から偏らせるための偏らせ部材と；複数のユニット服用量ホルダーを有する前記トレイの段階的な引き出しを許容する手段と；を備えていることを特徴とする装置を提供する。
この容器は、ブリスターパックに保存される医薬品のための子供には操作できない安全な容器を提示し、該容器は、３つの縁部で閉塞された２つの部材からなるプラスチックスリーブを有している。長方形のブリスターパックは、部品の調整された操作に応じて１つの横列のバブルを露出させるために、開放された第４の縁部を通してスライド可能である。一方側に成形されたポストは、他方側に成形された中空シリンダに溶接される。ポスト及びシリンダと同様に、エネルギーディレクターが側縁部に音波で溶接されてもよい。１つのポストが、ブリスターパックトレイのスロットを通して嵌り込み、ガイドとして機能し、トレイが内側及び外側にスライドするときの移動を制限する。２つの可撓性スプリングと４つの固定レールとは、スリーブの第１側に成型されており、ブリスターパックをスリーブの第２側に抗するようにして保持する。２つの成型されたキャッチは、ブリスターパックの２続きの開口部の一部分である１対の開口部を通して嵌り込んでいる。Ｔ字形状のレバーを押しつけることにより、ブリスターパックが歪み、成形されたキャッチがもはやブリスターパックの開口部に係合しないようにして、該ブリスターパックを容器からスライドさせることができる。キャッチの端部のフックは、次の１対の穴に引っ掛かり、服用量の露出を１つの横列のバブルに制限する。キャッチの背部の傾斜路は、ブリスターパックが内側へスライドするのに応じて該ブリスターパックを押し下げる。ブリスターパックトレイのスロットを通過するガイドポストは、トレイが包囲容器から完全に取り外されることを防止する。
【０００７】
パッケージは、スライドバブル容器トレイと、基部及び上部からなるロックスリーブとを有している。トレイは、複数のバブルを有する従来のバブル服用量パッキング材料からなり、該バブルは、密封紙あるいは箔からなる基部上に設けられた、錠剤を保持する単層プラスチックからなる上部に形成されている。紙あるいは箔は、１回分の服用量を１度に解放するために、１つのバブルが押し込まれる、カットされる、あるいは穴をあけられる。標準のバブルトレイあるいはブリスターパックが使用され、全てに必要な剛体構造を提供する。バブルトレイは、スロット内にシリンダが位置するとともに１対の開口部内に移動止めが位置するように、基部のスライドガイド上かつガイドシリンダ間に配置される。それから、上部が基部に配置される。ピンはシリンダに挿入される。上部の穴に形成されたスプリングは、バブルトレイを基部のガイドの方へ押しつける。上部及び基部は互いに溶接される。
【０００８】
基部に設けられたＴ字形状のバーを内側へ押しつけることにより、リブ間のトレイの一部分をスプリングの力に抗して基部から遠ざけるように、撓ませる。トレイの撓みは、該トレイがスリーブの開口端部４０を通してスライドしてもよいように、対とされる穴を移動止めから遠ざける。
【０００９】
好ましいユニット服用量容器装置は、複数のユニット服用量ホルダーを備えたトレイを有している。容器は、トレイを保持するための対向する側部と閉塞された端部とを備えた上部及び基部コンポーネントを有している。閉塞端部の反対側の開口端部は、該開口端部を通してトレイのスライドを許容する。
【００１０】
コンポーネントの接続部は、トレイを閉じる上部及び基部コンポーネントを保持している。好ましくは、コンポーネントのうちの１つが、内側に延びる突起を有している。トレイは、突起を係合するとともに容器に関してトレイの過度の移動を防止するための閉じた端部を備えた開口部を有している。トレイ及び容器に設けられた協働する移動止めは、トレイと容器との相対的なスライドを防止する。
【００１１】
偏らせ部材は、容器に接続されており、該偏らせ部材は、容器の開口端部を通してトレイの相対的なスライドを許容するとともにユニット服用量ホルダーへのアクセスを許容するために、係合状態から協働する移動止めを偏向させる。偏らせ部材は、トレイを撓ませて協働する移動止めを解放するために、コンポーネントのうちの１つに一体的に形成されてヒンジ結合され、かつ容器の内側へ移動可能とされている。レバーは、１つのコンポーネントにヒンジ結合されたヒンジ端部を有し、かつトレイを撓ませるために容器内へ自由に移動可能とされた自由端部を有している。
【００１２】
好ましくは、自由端部は、トレイに接触してこれを撓ませるための内側への延長部を有している。レバーの自由端部は相対的に広く、ヒンジ端部は相対的に狭くなっており、協働する移動止めは、レバーのより広い自由端部に近接しつつ離間した複数組の協働する移動止めを備えている。レバーの自由端部は、容器の開口端部を通したトレイの相対的な移動を許容するために、１組の全ての移動止めを係合状態から偏らせなければならない。
【００１３】
協働する移動止めは、トレイに取り付けられた移動止めと容器に取り付けられた移動止めとをさらに備えており、容器に取り付けられた移動止めは、開口端部の方を向く傾斜した斜面を有し、トレイ取り付け移動止めを容器取り付け移動止めから離間させるように偏向させ、容器の閉塞端部の方へのトレイの内側への移動に応じて移動止めをはずす。
【００１４】
トレイは、容器からトレイが取り外されるのを防止するために、容器の閉塞端部の近くに位置しつつ外側へ延びるストッパを有している。
【００１５】
上部及び基部コンポーネントは、コンポーネントを互いに結合するために、内側で対向する連結ピン及びレシーバーを有している。
【００１６】
容器の側部及び閉塞端部での前記コンポーネントの縁部は、音波によってコンポーネント縁部を互いに溶接するためのエネルギーディレクターを有している。
【００１７】
協働する移動止めは、トレイに取り付けられた移動止めと、レバーの自由端部に近接して位置しつつコンポーネントのうちの一方から内側へ延び、トレイに取り付けられた移動止めを係合することのための容器に取り付けられた移動止めと、を備える。また、移動止めは、トレイ取り付け移動止めに係合するために、コンポーネントのうちの一方から内側へ延びていてもよい。
【００１８】
協働する移動止めは、トレイの穴と、トレイの穴に係合するための、容器の内側へ延びる移動止めと、を備えている。また、協働する移動止めは、トレイの一連の穴と、容器の内側へ延びて、トレイの一連の穴に選択的に係合する移動止めと、を備えていてもよい。
【００１９】
スプリングは、協働する移動止めを係合状態にするために、偏らせ部材に対向するように前記容器の内側へ延びている。
【００２０】
コンポーネントの内側のリブは、トレイをリブ上でスライドさせる。リブの分断部は、偏らせ部材に対向して位置しており、スプリングは、リブの分断部で内側へ延びていて、協働する移動止めを係合状態とし、かつ、偏らせ部材を該スプリングの力に抗して内側へ押すのに応じて協働する移動止めの分離を許容する。容器の開口端部に近接して位置するトレイの一端の上の膨張部は、トレイが容器に完全に挿入されたときに開口端部の閉塞を可能にする。
【００２１】
ユニット服用量トレイへアクセスするための好ましい方法は、トレイのホルダーに複数回分の服用量を配置するステップと、ホルダーを閉じるステップとを備えている。トレイは、容器の基部コンポーネント上に配置される。上部コンポーネントはトレイ及び基部コンポーネント上に配置され、上部コンポーネントを基部コンポーネントで閉じる。両コンポーネントにおいて対向する側壁部と端壁部とが閉じられ、開口端部が残される。トレイの移動は、容器の突起とトレイの細長開口部の閉塞端部とによって制限される。
【００２２】
トレイ及び容器に設けられた協働する移動止めは、該協働する移動止めが係合されている間に、トレイを容器内に係合させて保持する。協働する移動止めが偏って外れると、ホルダーへのアクセスを許容するために容器の開口端部を通したトレイの移動が許容される。また、偏らせるステップは、コンポーネントのうちの一方における一部分を容器に対して動かすステップと、該コンポーネントと一体的に形成されたレバーの自由端部を、レバーのヒンジ端部まわりに動かすステップを備えている。
【００２３】
協働する移動止めを外すステップは、容器に対してトレイの一部分を動かすステップを備えている。協働する移動止めを外すステップは、トレイの穴を一方のコンポーネントから内側へ延びる固定された移動止めから遠ざけるように移動させるステップを備えている。
【００２４】
トレイは、スプリングの力によって固定移動止めの方へ押しやられる。
【００２５】
トレイが容器に完全に挿入されたときに、容器の開口端部は、トレイの一方の端部から外側へ延びる棚状突出部によって閉じられる。
【００２６】
トレイはコンポーネントから内側へ延びるリブ上でスライドし、一方のコンポーネントのリブにはギャップを設け、そして、スプリング圧に抗してトレイの一部分をギャップへ押しやることによって協働する移動止めを外すために該ギャップにスプリングを設ける。
【００２７】
好ましい実施例において、最も大きな強度を有する構成要素は、従来のブリスターパッケージとされるバブルトレイである。プラスチックブリスター層と紙からなる基部との断面全体が強度を提供する。一定の封じ込め構成要素が、ブリスターパッケージを取り囲んで新しいロックパッケージを形成する。平行な一連の穴における１組の穴が、服用量の露出を制限する。押す、保持する、引く及び解放するという連続動作が、ブリスターの露出を４つに制限する。逆の押しつけにより、部品の操作なしでブリスターパッケージが封じ込め構成要素へ容易にスライドする。
【００２８】
本発明のこれら及びさらに他の目的及び特徴は、図面及び請求項とともに、上述及び継続して記載される明細書を含んだ開示において明らかである。
【発明を実施するための最良の形態】
【００２９】
図１は、開いたロックパッケージの底面図である。図１に示されるように、ロックカセット容器１０は、ロックスリーブ１４とともにスライドユニット服用量バブルパッケージトレイ１２を有している。ロックスリーブは、基部１６及び上部１８を有している。偏らせ部材（biaser）は、例えばプッシュホールドタイプのＴ字形状の解放バー（リリースバー）として示されているように開口部２１に形成されており、薄くて弾性を有するセクションあるいはレバー２２によって、容器に接続されかつ容器と一体的に形成されている。プッシュホールド解放バーあるいは偏らせ部材の自由端部２４を押すことによって、トレイ１２を自由にする。基部の開口端部の凹所２８においてトレイの露出端部２６をつかむことにより、偏らせ部材２０をスリーブ基部１６の内側に保持している間、矢印２９の方向への外向きのスライドを可能にする。
【００３０】
図２は、開いたロックパッケージの上面図である。図２に示されるように、バブルパッケージトレイ１２は、１回分の服用量を包含する複数のバブル３０を有しており、該バブルは、４つの縦列３２に配列されている。トレイは、バブルパッケージトレイにおいて従前通りの強度及び厚みを有する同一の材料から構成されており、該バブルパッケージトレイは、折り曲げられた端部で密封される従来の長方形の厚紙スリーブで販売されている。
【００３１】
バブルトレイ１２は、中央スロット３４を有しており、該中央スロットは、トレイをガイドするとともにスリーブ１４からトレイが取り外されるのを防止する。バブル３０間に配置された穴３６は、トレイが意図的かつ適切に解放されるまで該トレイの外向きの移動を防止するために基部の移動止めと協働する。トレイが内向きに押されると、トレイの端部のリブ３８がスリーブ１４の開口端部４０を閉じて、バブル３０へのアクセスを防止する。タブ４２は、切欠き４４内に嵌り込んでおり、トレイの外向きの移動を補助する。スリーブ上部１８の開口部４６は、スプリング４８を内側に形成することを許容し、該スプリングは、トレイを基部１６のリブに対して押しつける。
【００３２】
図３は、閉じられたロックパッケージの上面図である。閉じられた位置では、リブ３８はスリーブの開口端部４０を閉じる。リブ３８は、上部１８の内側を押しつける。
【００３３】
図４は、閉じられたロックパッケージの一部分が分解された上面図である。図４に示される構成では、上部１８が基部１６に組み付けられる前に、トレイが既に基部上に配置されている。基部１６の側壁部５２に沿ったシリンダ５０は、上部の内側から下方に延びるピン５１を受け入れるように構成されている。基部の開口端部における凹所２８に近接するよう中央に配置された突起５４は、トレイ１２の中央スロット３４を通して延び、上部の中央ピン５５を受け入れるように構成されている。移動止め５６は、スリーブ１４にトレイ１２をロックするため、１番目の組の穴３６を通して突出するように示されている。
【００３４】
スリーブの内側端部におけるリブ５８は、スプリング４８間に嵌り込む。内側リブ５８及び隆起ドット５９は、トレイを安定させるために、それが延びるようにして上部１８の内側に対して乗り上げている。
【００３５】
ピン５１及び５５がシリンダあるいは突起５０及び５４内に押しつけられるとともに、上部１８が底部上に押しつけられる。シリンダの内側のエネルギーディレクター６０と基部１６の側壁部５２に沿った６２とを圧力及び超音波エネルギーにより溶解して、上部を基部に溶接する。
【００３６】
図５は、容器の分解された底面図である。接続ピン５１及び５５は、シリンダ形状の基部６１及び６５から延びている。上部１８の内側は、基部の内側のガイドに抗するようにしてトレイを保持するためのスプリング４８に位置合わせされたリブ６４を有している。リブ６４及びスプリング４８は、バブルが上部の内側から離間して配置されるように、十分な高さを有している。偏らせ部材２０のヘッド２４は、スプリングに位置合わせされており、リブ６４の内端部６８間のギャップ６６においてスプリングの方向にトレイを撓ませ、このようにして移動止めからトレイを解放する。
【００３７】
図６は、容器の分解された上面図である。基部の内側のガイド７０は、トレイのスライドを容易にする。基部の側壁部５２の内側における峰部７２が、上部１８の相補的な側壁部の内側に嵌り込んでいてもよい。偏らせ部材２０は、Ｔ字バーのヘッド２４の内側にリブ７４を有している。リブ７４は、移動止め５６と協働する。リブ７４が内側へ押されるのにしたがい、バブルトレイの近接する部分がスプリング４８の力に抗して上部１８の方へ撓ませられ、移動止め５６との係合からトレイを解放する。移動止め５６は、直線あるいはフック形状の内向面７６を有しており、偏らせ部材２０及びリブ７４が移動止めから離れてトレイを撓ませない限り、トレイを保持して外向きの移動を防止する。移動止めの傾斜した外向面あるいは斜面７８は、トレイの内向きの移動に応じて移動止めから離れるようにトレイを撓ませ、トレイの自由端部を押すのに応じて自由な内向きの移動を許容する。
【００３８】
図７は、ロックパッケージの一部分が断面とされた上面図である。移動止め５６は、トレイ１２の穴３６に係合するそのロックあるいは保持面７６とともに示されている。プッシュホールドバーのヘッド２４を内側へ押すことにより、リブ７４がリブ６４の内側の対向する端部６８間の領域においてトレイを上部１８の方へ撓ませる。トレイを撓ませることによって移動止め５６から穴３６をはずし、それでトレイがタブ４２を使用して外向きに引かれてもよい。錠剤がバブル３０から取り出された後、トレイが内向きにスライドされてもよい。内向きのスライド中、移動止め５６が穴３６内に落ち込む一方、傾斜面７８が穴及びトレイを移動止め５６から遠ざける。
【００３９】
図８は、ロックパッケージの一部分が断面とされた詳細上面図である。図８に示されるように、移動止め５６は、望ましくないトレイの外側への移動を防止するために、それらの保持面７６の端部にフック８０を有していてもよい。トレイを撓ませることにより、フックから遠ざかるように係合穴３６がスナップする。
【００４０】
図９は、開いた容器の基部及びバブルトレイの上面図である。トレイ１２は、図８において、基部１６に対して最も外側の位置８２で示されている。スロット３４の端部８４が、中央シリンダあるいは突起５４に係合している。
【００４１】
図１０は、閉じられた容器の基部及びバブルトレイの上面図である。図１０において、トレイ１２は、スロット３４の端部８８に位置する中央シリンダあるいは突起５４とともに、最も内側の位置８６で示されている。トレイ１２の端部９２は、基部１６の端壁部９４の内側に当接している。
【００４２】
図１１は、閉じられたパッケージの底面図である。図１１において、偏らせ部材２０は、ロックスリーブ１４の基部１６において内側の位置に成形されているように示されている。
【００４３】
図１２は、基部及び上部の構成要素の関連する位置を示す詳細側面断面図である。図１２の詳細図において、上部１８及び基部１６は、成形された位置で示されている。偏らせ部材２０は、内側に位置するように成形され、トレイによって外側へ押される。スプリング４８は、上部１８の内側に位置するように成形され、リブ６４における内側への延長部をわずかに越えて延びている。したがって、スプリングは、Ｔバーが外側に保持されるようにして、トレイを支持する。
【００４４】
移動止め５６の傾斜後部表面７８とリブ６４の内側表面とは、トレイのスライドあるいは該表面の移動を容易にするために、他のトレイ接触表面とともにラジアス面（Ｒ面）９２、９４とされている。プッシュバーの外側表面９６は、バーを内側へ押すのを補助する摩擦溝９８を有している。
【００４５】
図１３は、基部、上部及びバブルトレイの構成要素の位置を示す詳細側面断面図である。図１３において、偏らせ部材２０及びスプリング４８は、トレイを挿入した後の位置で示されている。
【００４６】
図１４は、基部、上部及びバブルトレイの構成要素の位置を示す詳細側面断面図である。図１４は、どのようにしてトレイが偏らせ部材２０を基部と同じ高さの位置へ押し戻すかを示すために、トレイ１２に関して成形された位置でのスプリング４８及び偏らせ部材２０を示している。
【００４７】
図１５は、トレイ１２の外向きのスライドを可能にするように内側に押しつけられたプッシュホールド解放バーを有する閉じられたパッケージの底面図である。図１５は、内側へ押しつけられた偏らせ部材２０を有するパッケージを示している。ガイド７０の縁部とスライダのスロット３４とが、基部１６の開口部２１を通して見えている。
【００４８】
図１６、１７、１８及び１９は、ロックパッケージ及びその構成要素を示している。パッケージ１０は、スライドバブル容器トレイ１２と、基部１６及び上部１８からなるロックスリーブ１４とを有している。トレイは、複数のバブル３０を有する従来のバブル服用量あるいはブリスターパックパッケージング材料からなり、該バブルは、バブル密封紙あるいは箔からなる基部上に設けられた、錠剤１００を保持する単層プラスチックからなる上部に形成されている。紙、スリットあるいは箔は、１回分の服用量を１度に解放（リリース）するために、１つのバブルの下に穴をあけられる。バブルトレイは、スロット３４内にシリンダあるいは突起５４が位置するとともに１対の開口部３６内に移動止め５６が位置するようにして、基部のスライドガイド７０上かつガイドシリンダ５０間に配置される。それから、上部１８が反転される。ピン５１及び５５が、シリンダあるいは突起５０及び５４に挿入され、上部１８の穴４６に形成されたスプリング４８が、バブルトレイ１２を基部１６のガイド７０の方へ付勢する。上部と基部とが互いに溶接される。基部１６の偏らせ部材２０を内側へ押しつけることにより、スプリング４８の力に抗してリブ６４間のトレイ１２の一部分が基部から離れるように撓む。トレイの撓みは、トレイ１２がスリーブ１４の開口端部４０を通してスライドしてもよいように、移動止め５６から穴３６を遠ざける。
【００４９】
最も大きな強度を有する構成要素は、従来のブリスターパッケージとされるバブルトレイである。プラスチックブリスター層と紙からなる基部との積層断面全体が、強度をもたらす。一定の包含構成要素が、ブリスターパッケージを取り囲み、新しいロックパッケージを形成する。平行な一連の穴における１組の穴に位置した移動止めが、服用量を制限する。押す、保持する、引く及び解放するという連続動作が、ブリスターの露出を４つに制限する。逆の押しつけにより、部品を操作することなく、ブリスターパッケージが包含構成要素内へ容易にスライドされて戻される。
【００５０】
本発明が特定の実施例を参照して説明されたが、本発明の範囲から逸脱することなく、本発明の修正変更がなされていてもよい。
【図面の簡単な説明】
【００５１】
【図１】開いたロックパッケージの底面図である。
【図２】開いたロックパッケージの上面図である。
【図３】閉じられたロックパッケージの上面図である。
【図４】閉じられたロックパッケージの一部分が分解された上面図である。
【図５】容器の分解された底面図である。
【図６】容器の分解された上面図である。
【図７】ロックパッケージの一部分が断面とされた上面図である。
【図８】ロックパッケージの一部分が断面とされた詳細上面図である。
【図９】開いた容器の基部及びバブルトレイの上面図である。
【図１０】閉じられた容器の基部及びバブルトレイの上面図である。
【図１１】閉じられたパッケージの底面図である。
【図１２】基部及び上部の構成要素の関連する位置を示す詳細側面断面図である。
【図１３】基部、上部及びバブルトレイの構成要素の位置を示す詳細側面断面図である。
【図１４】基部、上部及びバブルトレイの構成要素の位置を示す詳細側面断面図である。
【図１５】内側に押しつけられたプッシュホールド解放バーを有する閉じられたパッケージの底面図である。
【図１６】閉じられたパッケージの底面図である。
【図１７】基部の内部斜視図である。
【図１８】上部の内部斜視図である。
【図１９】バブルトレイの内部斜視図である。
【符号の説明】
【００５２】
１０  容器
１２  トレイ
１４  スリーブ
１６  基部
１８  上部
２０  偏らせ部材
３０  バブル
３６  穴
５６  移動止め
【図１】
0004527539.tif 000002
【図２】
0004527539.tif 000003
【図３】
0004527539.tif 000004
【図４】
0004527539.tif 000005
【図５】
0004527539.tif 000006
【図６】
0004527539.tif 000007
【図７】
0004527539.tif 000008
【図８】
0004527539.tif 000009
【図９】
0004527539.tif 000010
【図１０】
0004527539.tif 000011
【図１１】
0004527539.tif 000012
【図１２】
0004527539.tif 000013
【図１３】
0004527539.tif 000014
【図１４】
0004527539.tif 000015
【図１５】
0004527539.tif 000016
【図１６】
0004527539.tif 000017
【図１７】
0004527539.tif 000018
【図１８】
0004527539.tif 000019
【図１９】
0004527539.tif 000020